(57)【要約】【課題】  底壁の中央部に平坦面を設けて表示部とし、印字、刻印等による表示がずれたり、表示ラインが曲がらないようにした底部を備えたボトルを提供すること。【解決手段】  ブロー成形されたボトルの底部において、接地端から上方に向かって湾曲するように設けられた底壁中央部内に、一定の広さを有するほぼ水平な平坦面を設け、表示部としたことを特徴とし、また、前記平坦面は、底壁中央部からボトル内方に突出して設けられていることを特徴とする。【選択図】  図１
2005313940.tif 000002
【特許請求の範囲】
【請求項１】
ブロー成形されたボトルの底部において、
接地端から上方に向かって湾曲するように設けられた底壁中央部内に、一定の広さを有するほぼ水平な平坦面を設け、表示部としたことを特徴とするボトルの底部。
【請求項２】
前記平坦面は、底壁中央部からボトル内方に突出して設けられていることを特徴とする請求項１記載のボトルの底部。
【請求項３】
前記平坦面は、ボトル底部のパーティングラインに対して対称形となっており、パーティングラインの方向に延びていることを特徴とする請求項１、２記載のボトルの底部。
【請求項４】
平坦面の位置が、接地端より１．５ｍｍ〜５ｍｍの距離にあることを特徴とする請求項１〜３記載のボトルの底部。
【発明の詳細な説明】
【技術分野】
【０００１】
本発明は、ボトルの底部、とくに接地端から上方に湾曲する底壁の中央部に、平坦面を設け、表示部としたボトルの底部の構造に関するものである。
【背景技術】
【０００２】
ブロー容器において、接地端から上方に湾曲する底壁に、製造会社のマーク、ロット番号、製造年月日、消費期限等を表示する表示部を設けることは、従来より周知であり、そうしたボトルは、従来より市販され、一般の消費者にもよく知られているところである。
例えば、ブロー成形金型の型番を底壁中央部に刻設したものも知られている（特許文献１参照）。
【特許文献１】特開平８−１１９２８３号公報
【発明の開示】
【発明が解決しようとする課題】
【０００３】
表示部の表示は、印字、刻印等によって行われており、底壁が湾曲しているため、表示位置がずれたり、表示が長い場合には、表示ラインが曲がって見づらいという問題があった。
また、底壁の最高部の高さは、多くの場合、接地端より１〜１．５ｍｍ程度であったので、弾力性を有する搬送ベルト等の表面では、表示がこすれて剥がれるおそれもあった。
【０００４】
本発明は、上記問題を解決することを課題とし、底壁の中央部に平坦面を設けて表示部とし、印字、刻印等による表示がずれたり、表示ラインが曲がらないようにした底部を備えたボトルを提供することを目的とする。
【課題を解決するための手段】
【０００５】
本発明は、上記の課題を解決するため、ボトルの底部として、ブロー成形されたボトルの底部において、接地端から上方に向かって湾曲するように設けられた底壁中央部内に、一定の広さを有するほぼ水平な平坦面を設け、表示部としたことを特徴とする構成を採用する。
【０００６】
平坦面の実施例として、平坦面は、底壁中央部からボトル内方に突出して設けられていることを特徴とする構成を採用する。
【０００７】
平坦面の形状として、平坦面は、ボトル底部のパーティングラインに対して対称形となっており、パーティングラインの方向に延びていることを特徴とする構成を採用する。
【０００８】
平坦面の位置として、平坦面の位置が、接地端より１．５ｍｍ〜５ｍｍの距離にあることを特徴とする構成を採用する。
【発明の効果】
【０００９】
ボトルの底部に、底壁の中央部に一定の広さを有する平坦面を設けているので、表示面が広くとれるようになり、また、印字、刻印等にあたって、表示がずれたり、表示ラインが曲がったりすることをなくすことができた。
【発明を実施するための最良の形態】
【００１０】
次に、本発明のボトル底部について、実施例をあげ、図面を参照して説明する。
【実施例１】
【００１１】
図１〜３において、Ａは、本発明の合成樹脂製のブローボトルであって、ダイレクトブロー、または二軸延伸ブローによって成形されている。
ブローボトルＡは、口部１と肩部２、胴部３と底部４とからなり、口部１の外周にはねじ５が螺設されている。
肩部２と胴部３の断面形状は、楕円形、または円形、或いは角部を円弧とした角形となっている。
【００１２】
底部４は、接地端６と、該接地端６から上方に湾曲する底壁７、および平坦面８からなっている。
平坦面８は、パーティングラインPLを対称軸として、対称形となっている二つの直線部９と、両端の円弧部１０とからなるトラック楕円によって形成され、会社名記号、ロット番号、製造年月日、賞味期限等を表示する表示部１１となっている。
平坦面８の下面の位置は、接地端６から１．５〜５ｍｍの距離となっている。
【００１３】
次に、本発明ボトルの構成に基づく作用効果について説明する。
ボトルの成形は、従来公知のダイレクトブロー、または二軸延伸ブローによって成形される。
とくに、ダイレクトブロー成形にあたっては、接地端から平坦面までの高さが５ｍｍ以下であるので、成形後の金型開き時に、ブロー金型の平坦面成形型面が、接地端付近の壁面に当接し押上げるが、肩部の金型への圧接による傷つきを抑制することができる。
【００１４】
表示にあたっては、平坦面の周縁を印字、刻印時の位置合わせにも利用でき、表示位置を一定にすることができる。
さらに、ボトル胴部への印刷や、ラベル貼着を行う場合等にも、該平坦面を位置合わせとして利用できる。
また、平坦面８に、印字、刻印をするので、表示する記号や文字がずれたり、記号や文字列等表示ラインが曲がったりすることはない。
【００１５】
平坦面８は、接地端６から１．５ｍｍ以上離れているので、ボトル搬送時に、搬送ベルトに接触して表示がずれることはなく、表示に傷つくことはない。
【実施例２】
【００１６】
次に、平坦面を凹部とした第２実施例について説明する。
図３〜５において、ブローボトルＡは、第１実施例と同様の口部１と肩部２，胴部３とを具えており、底部４ａは、接地端６ａと該接地端６ａから上方に湾曲する底壁７ａと、平坦凹部１５とを具えている。
【００１７】
平坦凹部１５は、段部１６と平坦面１７とからなっており、段部１６は、パーティングラインPLを対称軸として、対称形となっている二つの直線部１８と両端を円弧部１９とからなるトラック楕円によって形成される周縁に形成されている。
段部１６を介して凹部が凹設され、その上面は、ほぼ水平な平面として、平坦面１７が形成され、表示部２０となっている。 
【００１８】
平坦面１７の接地端６ａからの高さを、第１実施形態例より深くすることができ、段部１６の高さだけ凹んでいるので、表示にあたっての位置合わせに利用でき、さらに表示に対する保護機能も一層向上される。
その他、第１実施例と同様の作用効果を得ることができる。
【００１９】
前記各実施例においては、表示部となる平坦面をトラック楕円形状としたが、楕円、または円形、或いは角部を丸めた四角形等であってもよく、実施例に限定されない。 
【産業上の利用可能性】
【００２０】
本発明は、ボトルの底部に平坦面を設けて表示部としたが、底部に限らず、ボトル胴部、肩部などにも平坦面を設け、表示部とすることもでき、本発明の利用範囲を拡げることができる。
【図面の簡単な説明】
【００２１】
【図１】本発明第１実施例ボトルの一部断面正面図である。
【図２】ボトルの側面図である。
【図３】ボトルの底面図である。
【図４】第２実施例ボトルの一部断面正面図である。
【図５】ボトルの側面図である。
【図６】ボトルの底面図である。
【符号の説明】
【００２２】
Ａ          ブローボトル
PL          パーティングライン
１          口部
２          肩部
３          胴部
４、４ａ    底部
５          ねじ
６、６ａ    接地端
７、７ａ    底壁
８、１７    平坦面
９、１８    直線部
１０、１９  円弧部
１１、２０  表示部
１５        平坦凹部
１６        段部
【図１】
2005313940.tif 000003
【図２】
2005313940.tif 000004
【図３】
2005313940.tif 000005
【図４】
2005313940.tif 000006
【図５】
2005313940.tif 000007
【図６】
2005313940.tif 000008